(57)【特許請求の範囲】
【請求項１】
口腔内に挿入して口腔内両側壁を拡開して維持するように略Ｕ字状に形成した口腔内保持体と、
前記口腔内保持体に形成し、落下した微小な歯科用具を受け止めるシートを着脱自在に装着可能とした挟持部と、
前記口腔内保持体の略Ｕ字状の自由端部を内方に凹状に折曲して凹状部分を口唇の左右端縁に係合するように構成した口唇係合部と、
口唇近傍皮膚面に当接するように前記口唇係合部の先端に形成した当接フラット部と、よりなり、
前記口腔内保持体の左右中央部には口腔内側壁に当接する当接膨大部を形成したことを特徴とする歯科用誤飲防止具。
【請求項２】
前記当接フラット部の外側面に摘み部を突設したことを特徴とする請求項１に記載の歯科用誤飲防止具。
【請求項３】
前記挟持部は、前記当接膨大部に略Ｕ字状の前記口腔内保持体に沿って突設した挟持バネ体を有することを特徴とする請求項１又は請求項２に記載の歯科用誤飲防止具。
【請求項４】
前記挟持バネ体には、シートを舌に押し当てるための押当部を形成したことを特徴とする請求項３に記載の歯科用誤飲防止具。
【請求項５】
前記当接フラット部と前記摘み部と前記当接膨大部は、歯科用樹脂で形成したことを特徴とする請求項１から請求項４の何れか１項に記載の歯科用誤飲防止具。
【発明の詳細な説明】
【技術分野】
【０００１】
本発明は、歯科治療を行うに際し、患者が誤って補綴物を嚥下してしまうのを防止する歯科用誤飲防止具に関する。
【背景技術】
【０００２】
従来、歯科医院などで行われる歯科治療は、患者を歯科治療用の椅子に座らせて、背もたれを後方へ傾けて仰向け状態となし、口を開かせて行われるのが一般的である。
【０００３】
また歯科治療を行う歯科医師等の術者は、このような仰向け状態の患者に対して、治療部位や歯牙が欠損した部位に、その部位を補うための補綴物の装着を行うことがある。
【０００４】
この補綴物は、例えば、部分義歯のような比較的大きなものもあるが、クラウンやインプラント治療で用いられる歯科用具等の比較的小さなものもあり、術者には繊細な作業が要求される。
【０００５】
特に、前述のインプラントに使用される歯科用具類は、顎骨に取り付けるフィクスチャーや、同フィクスチャーに取り付けるアバットメント、更にこのアバットメントに取り付ける取付ネジなど小さなものが多く、術者はこれらの微小な歯科用具を患者の口腔内に複数回に亘って調整しながら取り付ける作業を行わなければならない。
【０００６】
この取付作業を行うに際して術者は、補綴物が患者の口腔内に落下しないように慎重に作業を行っている。しかし、補綴物を把持するピンセット等が唾液で滑ることもあり、患者は仰向け状態であることから、補綴物が咽頭方向に落下してしまう事態も懸念される。特に、補綴物が口蓋垂近傍に至った場合、患者は反射的に嚥下してしまう傾向がある。
【０００７】
そこで、弾性体で形成した楕円形状のフレームに、補綴物よりも細かな目を有するネットを張設し、前記フレーム全体を側面視略Ｕ字状に湾曲させて口腔内に挿入し装着するマウスネットが提案されている（例えば、特許文献１参照。）。
【０００８】
このようなマウスネットによれば、補綴物が口腔内に落下した場合でも、患者が嚥下してしまう前に補綴物を前記ネットにより捕捉することができるとしている。
【先行技術文献】
【特許文献】
【０００９】
【特許文献１】特開２００２−１７７５５号公報
【発明の概要】
【発明が解決しようとする課題】
【００１０】
しかしながら、上記従来のマウスネットでは、装置全体を口腔内に挿入して使用するものであるため、患者の口腔内で定置し難いという問題があった。
すなわち、治療中に患者が口を動かしてしまうと容易にマウスネットが移動してしまい、補綴物を確実に補足できない場合があった。
【００１１】
本発明は、斯かる事情に鑑みてなされたものであって、歯科治療中に補綴物が口腔内に落下した場合であっても、補綴物を確実に捕捉することができ、患者が嚥下してしまうことを防止できる歯科用誤飲防止具を提供することを目的とする。
【課題を解決するための手段】
【００１２】
上記従来の課題を解決するために、請求項１に記載の歯科用誤飲防止具は、口腔内に挿入して口腔内両側壁を拡開して維持するように略Ｕ字状に形成した口腔内保持体と、前記口腔内保持体に形成し、落下した微小な歯科用具を受け止めるシートを着脱自在に装着可能とした挟持部と、前記口腔内保持体の略Ｕ字状の自由端部を内方に凹状に折曲して凹状部分を口唇の左右端縁に係合するように構成した口唇係合部と、口唇近傍皮膚面に当接するように前記口唇係合部の先端に形成した当接フラット部と、よりなり、前記口腔内保持体の左右中央部には口腔内側壁に当接する当接膨大部を形成することとした。
【００１３】
また、請求項２に記載の歯科用誤飲防止具は、請求項１に記載の歯科用誤飲防止具において、当接フラット部の外側面に摘み部を突設したことに特徴を有する。
【００１５】
また、請求項３に記載の歯科用誤飲防止具は、前記挟持部は、前記当接膨大部に略Ｕ字状の前記口腔内保持体に沿って突設した挟持バネ体を有することに特徴を有する。
【００１６】
また、請求項４に記載の歯科用誤飲防止具は、前記挟持バネ体には、シートを舌に押し当てるための押当部を形成したことに特徴を有する。
【００１７】
また、請求項５に記載の歯科用誤飲防止具は、前記当接フラット部と前記摘み部と前記当接膨大部を歯科用樹脂で形成したことに特徴を有する。
【発明の効果】
【００１８】
請求項１に係る発明によれば、口腔内に挿入して口腔内両側壁を拡開して維持するように略Ｕ字状に形成した口腔内保持体と、前記口腔内保持体に形成し、落下した微小な歯科用具を受け止めるシートを着脱自在に装着可能とした挟持部と、前記口腔内保持体の略Ｕ字状の自由端部を内方に凹状に折曲して凹状部分を口唇の左右端縁に係合するように構成した口唇係合部と、口唇近傍皮膚面に当接するように前記口唇係合部の先端に形成した当接フラット部と、よりなり、前記口腔内保持体の左右中央部には口腔内側壁に当接する当接膨大部を形成したため、歯科治療中に補綴物が口腔内に落下した場合であっても、補綴物を確実に捕捉することができ、患者が嚥下してしまうことを防止することができる。また、略Ｕ字状の口腔内保持体の左右中央部に口腔内側壁に当接する当接膨大部を形成したため、当接膨大部が口腔内側壁に面接触して口腔内を広く保つとともに、歯科用誤飲防止具の姿勢を安定して維持することができる。
【００１９】
また、請求項２に係る発明によれば、当接フラット部の外側面に摘み部を突設したため、患者の口腔内に装着した歯科用誤飲防止具を、術者が容易に取り付け取り外すことができる。
【００２１】
また、請求項３に係る発明によれば、前記挟持部は、前記当接膨大部に略Ｕ字状の前記口腔内保持体に沿って突設した挟持バネ体を有することとしたため、同挟持バネ体にシートを容易かつ確実に装着することができ、また、患者が治療中に舌を動かした場合であっても、シートが外れてしまうことを防止できる。
【００２２】
また、請求項４の発明によれば、前記挟持バネ体には、シートを舌に押し当てるための押当部を形成したため、患者が舌を動かしたとしても、シートが浮き上がらないようにすることができ、シートの着脱や交換を容易に行うことができる。
【００２３】
また、請求項５の発明によれば、前記当接フラット部と前記摘み部と前記当接膨大部は、歯科用樹脂で形成したため、顔面皮膚としての外側皮膚面や口腔内粘膜と接触した際に、障害を与えてしまうおそれを可及的防止することができる。
【図面の簡単な説明】
【００２４】
【図１】本実施形態に係る歯科用誤飲防止具を示す全体斜視図である。
【図２】本実施形態に係る歯科用誤飲防止具を示す平面図である。
【図３】本実施形態に係る歯科用誤飲防止具を示す正面図である。
【図４】本実施形態に係る歯科用誤飲防止具を示す背面図である。
【図５】本実施形態に係る歯科用誤飲防止具を示す側面図である。
【図６】本実施形態に係る歯科用誤飲防止具の使用状態を示す説明図である。
【図７】本実施形態に係る歯科用誤飲防止具の使用状態を示す断面図である。
【発明を実施するための形態】
【００２５】
本実施形態に係る歯科用誤飲防止具は、歯科治療を行うに際し、患者が誤って補綴物を嚥下してしまうのを防止するためのものであり、補綴物を捕捉するシートを装着し、患者の口腔内に挿入して使用する器具である。
【００２６】
具体的には、口腔内に挿入して口腔内両側壁を拡開して維持するように略Ｕ字状に形成した口腔内保持体と、口腔内保持体のＵ字状の頂部に形成し、落下した微小な歯科用具を受け止めるシートを着脱自在に装着可能とした挟持部と、前記口腔内保持体の略Ｕ字状の自由端部を内方に凹状に折曲して凹状部分を口唇の左右端縁に係合するように構成した口唇係合部と、口唇近傍皮膚面に当接するように前記口唇係合部の先端に形成した当接フラット部とよりなることとしている。
【００２７】
ここで補綴物とは、前述の部分義歯、歯科用具、デンタルインプラントは勿論のこと、デンタルインプラントのフィクスチャー、アバットメント、取付ネジなど口腔内で使用されるもの全般を意味する。
【００２８】
また、補綴物を捕捉するシートは、ガーゼやメッシュ状の布地、樹脂等で形成したメッシュ状のシートのような可撓性を有するシートであれば良く、口腔内に落下した補綴物を捕捉可能で、通気性があり、後に詳述する挟持バネ体にて挟持可能なものであれば特に限定されるものではない。
【００２９】
このような構成とすることにより、歯科治療中に補綴物が口腔内に落下した場合であっても、補綴物を装着したシートで確実に捕捉することができ、患者が嚥下してしまうことを防止することができる。
【００３０】
また、患者の口腔内に歯科用誤飲防止具の口腔内保持体を挿入すると、口腔内両側壁部（内頬の左右両面）を拡開して維持することとなり、挟持部に取り付けたシートを、口腔内の左右上下の後臼歯の周縁から咽頭部まで広く覆うことができる。
【００３１】
また、口腔内両側壁部が拡開されると、すなわち、歯列から内頬を遠ざけることとなるため、口腔内を広く保つことができ、術者による治療を容易にすることができる。
【００３２】
しかも、口唇係合部により、口唇の左右端縁を押し広げた状態を維持することができるため、患者が口を大きく開けた状態となり、口腔内に器具類を容易に挿入することができ、術者は安全かつ円滑な治療を行うことができる。
【００３３】
また、当接フラット部が口唇近傍の皮膚面に当接することとなるため、同皮膚面にかかる圧力を分散して、長時間の治療であっても患者が不快感を覚えるのを可及的防止することができる。
【００３４】
次に、本実施形態に係る歯科用誤飲防止具について、図面を参照しながら具体的に説明する。なお、以下では、まず歯科用誤飲防止具の具体的な構成について説明し、その後、同歯科用誤飲防止具の使用方法について説明する。
【００３５】
〔歯科用誤飲防止具の全体構成〕
本実施形態に係る歯科用誤飲防止具の外観を図１〜図５に示す。図１は歯科用誤飲防止具の全体斜視図であり、図２は同平面図、図３は同正面図、図４は同背面図、図５は同右側面図である。なお、歯科用誤飲防止具の底面は、図２に示す平面図と同様に表れ、また、左側面は、図５に示す右側面図と左右対称に表れる。
【００３６】
本実施形態の歯科用誤飲防止具は、平面視略Ω形状に形成し、ガーゼ等のシートを挟持して、患者の口腔内に取り付けることで、術者が誤って治療具等を落下したとしても、その治療具をシートで捕捉して誤飲を防止するものであり、その構造は下記の通りである。
【００３７】
本実施形態の歯科用誤飲防止具１は、図１から図５に示すように弾性力により拡開状に付勢されている略Ｕ字状の口腔内保持体２と、シート３０を着脱自在に装着可能とした左右挟持部３，３と、口腔内保持体２の自由端部に内方に凹状に折曲しながらその凹状部分５の内側を口唇の左右端縁Ａ，Ａ(図６及び図７参照)に係合するように形成した口唇係合部４，４と、前記口唇係合部４，４の先端に形成した当接フラット部６，６とからなる構成としている。
【００３８】
前記口腔内保持体２は、口腔内保持体２の頂部で切断して、２つ割りの半円弧状の左フレーム部１０と半円弧状の右フレーム部１０とにより構成し、その各フレーム部１０，１０の基端にはコイルバネ部１１を連設し、その連設した部分に歯科用樹脂よりなる端片部１２，１２を形成している。すなわち、口腔内保持体２の左右フレーム１０，１０は、コイルバネ部１１のバネ付勢により、外側方向、すなわち、口腔内保持体２の拡開方向に付勢している。なお、コイルバネ部１１は、コイル状のバネとしたが、付勢力を有する板状のバネであってもよい。
【００３９】
この口腔内保持体２の左右フレーム部１０，１０の左右中央部には、棒状の金属を左右対称のループ状に折り曲げて形成した左右挟持バネ体７，７を連設しており、これら挟持バネ体７，７は、Ｕ字状の口腔内保持体２に沿うように突設している。さらに、左右フレーム部１０，１０の左右中央部に挟持バネ体７，７を連設した部分は、歯科用樹脂よりなる側面視ひし形状の当接膨大部８，８を形成している。
【００４０】
すなわち、Ｕ字状の口腔内保持体２と左右挟持バネ体７，７とにより歯科用具を受け止めるシート３０を着脱自在に装着可能とした左右挟持部３，３を構成しており、これら左右挟持部３，３には、シート３０を取り付けるためのシート挟持空間Ｓが形成されている。
【００４１】
左右挟持部３，３にシート３０を取り付け取り外す際には、シート挟持空間Ｓにシート３０を通すと、左右挟持部３，３がシート３０を挟持することが出来、すなわち、口腔Ｄ内の臼歯Ｃから咽頭部Ｅにかけて挟持したシート３０で広く覆うことができる（図６及び図７参照）。しかも、前記当接膨大部８，８は、口腔内側壁Ｆに面接触しながら外方へ押し広げるように保つことで、歯と口腔内側壁Ｆとの間に空間を形成して、後述するシート３０を広げる作業、あるいは、インプラントの取り付け作業を行い易くする効果があり、さらには、歯科用誤飲防止具１の姿勢を安定して維持することが出来る効果がある。
【００４２】
左右挟持バネ体７，７の中途部には、下方に凸形状の押当部１３，１３を形成している。左右挟持部３，３にシート３０を取り付けた際には、両押当部１３，１３がシート３０を舌Ｇに押し当てるために、シート３０が浮き上がらないようにすることが出来る効果がある。
【００４３】
口腔内保持体２の左右フレーム１０，１０の自由端部には、前記左右口唇係合部４，４を形成しており、左右口唇係合部４，４は、左右フレーム１０，１０の平板状の金属の自由端部を内方に凹状に折曲して凹状部分５，５を形成し、さらに、その各凹状部分５，５の内側を口唇の左右端縁Ａ，Ａに係合するように構成している。
【００４４】
具体的には、凹状部分５，５は、平面視く字状或は平面視逆く字状に折り曲げた第１屈曲部５ａと平面視Ｌ字状或は平面視逆Ｌ字状に折り曲げた第２屈曲部５ｂからなり、一方の第１屈曲部５ａは口腔Ｄ内において口腔内側壁Ｆ，Ｆから左右端縁Ａ，Ａにかけて当接し、他方の第２屈曲部５ｂは左右端縁Ａ，Ａから外側皮膚面Ｂにかけて当接するようになる。凹状部分５の先端には、後述する当接フラット部６を形成している。
【００４５】
口腔内に歯科用誤飲防止具１を挿入した際には、口唇係合部４，４の凹状部分５，５が口唇の左右端縁Ａ，Ａに係合することにより、口を左右方向に押し開くように開口して、その開口姿勢を維持することができる効果がある。
【００４６】
前記当接フラット部６は、各凹状部分５，５の先端部分を歯科用樹脂で囲繞して略十字形状に形成しており、当接フラット部６の外側面６ａには、略ハート形状の摘み部９，９が突設するように形成されている。
【００４７】
すなわち、左右の摘み部９，９を把持して口腔内保持体２を挿入すると、当接フラット部６，６が口唇の外側皮膚面Ｂ、すなわち、口のへり部分に直接当接するために、凹状部分５の先端の金属質の一部が可及的に皮膚面に接触しないようにすることが可能となり、患者の不快感をなくす効果がある。また、把持した左右の摘み部９，９同士を近づけるとコイルバネ部１１の付勢力に抗するために、拡開していた口腔内保持体２を縮めることとなり、術者は患者の口腔Ｄ内への装着或は脱着が容易に行える効果がある。
【００４８】
当接フラット部６と当接膨大部８と摘み部９と端片部１２は歯科用樹脂により形成されることで、肉厚かつ幅広に容易に構成することができる。
【００４９】
術者が上記構成とした本歯科用誤飲防止具１を口腔Ｄ内に装着する使用方法について以下詳説する。
【００５０】
［歯科用誤飲防止具の使用方法］
以下、歯科用誤飲防止具の使用方法について図６及び図７に基づいて説明する。
まず、歯科用誤飲防止具１における挟持部３，３にシート３０を取り付ける際には、シート挟持空間Ｓにガーゼ等のシート３０を通すと、この左右挟持部３，３がシート３０を挟持した状態となる。一方、患者は頭部を天井に向いた状態となるように仰向け姿勢となる。
【００５１】
術者は、歯科用誤飲防止具１の左右の摘み部９，９を把持した状態で、口腔内保持体２を患者の口腔Ｄ内へ挿入する。すなわち、摘み部９，９同士を近づけると、コイルバネ部１１のバネ付勢力に抗した状態となり、この縮めた状態で口腔内保持体２を口腔Ｄ内に容易に挿入することができる。
【００５２】
次いで、左右の摘み部９，９を放すと挟持バネ体１１の付勢力により口腔内保持体２を拡開し、すなわち、当接膨大部８，８が口腔内両側壁Ｆ，Ｆを押し広げた状態となる。このとき、左右の口唇係合部４，４は、口唇の左右端縁Ａ，Ａに係合しつつ、口を左右方向に押し開くように開口して、その開口姿勢を維持することとなる。すなわち、術者は、大きく押し開いた開口姿勢の口から後述するシート３０を広げる作業、あるいは、インプラントの取り付け作業等をスムーズに行うことができることとなる。
【００５３】
次いで、術者は、左右の挟持部３，３とで挟んだ状態のシート３０を押し広げて口腔Ｄ内の臼歯Ｃから咽頭部Ｅにかけて覆うようにしている。このとき左右挟持部３，３の両押当部１３，１３は、シート３０の下端を舌Ｇに押し当てており、すなわち、患者が舌Ｇを動かしたとしても、シート３０が浮き上がらないように常にシート３０の下端を閉じた状態とすることができる。
【００５４】
上述したように患者の口腔Ｄ内に歯科用誤飲防止具１を装着することにより、口腔Ｄ内の臼歯Ｃから咽頭部Ｅにかけてシート３０で閉塞されるために、その後に行うインプラントの取り付け作業において、仮にネジ等の歯科用具を咽頭方向に落下させたとしても、閉塞したシート３０に引っかかるため患者が誤嚥下することがなくなる効果がある。
【００５５】
インプラントの取り付け作業が完了した際には、左右の摘み部９，９を把持して、摘み部９，９同士を近づけると、挟持バネ体１１の付勢力に抗した状態となり、すなわち、口唇の左右端縁Ａと口唇係合部４との係合状態が解除され、その状態のまま口腔内保持体２を口腔Ｄ内から一気に引き出すことができる。
【００５６】
上述した使用方法にしたがうことで、術者は患者の口腔Ｄ内に本歯科用誤飲防止具１を取り付けたり、或は取り外すことが簡単に行えることとなる。
【符号の説明】
【００５７】
Ａ  左右端縁
Ｂ  口唇近傍皮膚面
Ｃ  臼歯
Ｄ  口腔
Ｅ  咽頭部
Ｆ  口腔内側壁
Ｇ  舌
１  歯科用誤飲防止具
２  口腔内保持体
３  左右挟持部
４  口唇係合部
５  凹状部分
６  当接フラット部
７  挟持バネ体
８  当接膨大部
９  摘み部
１０  左右フレーム
１１  挟持バネ体
１２  端片部
１３  把持部
３０  シート
【図１】
0006703331.tif 000002
【図２】
0006703331.tif 000003
【図３】
0006703331.tif 000004
【図４】
0006703331.tif 000005
【図５】
0006703331.tif 000006
【図６】
0006703331.tif 000007
【図７】
0006703331.tif 000008